(57)【要約】【課題】ソリッドセパレーション型汚水中継ポンプ設備の流入槽からのし渣の除去作業を省く。【解決手段】流入槽５と流入管２の間に配置した流入溝１０２内には、長尺捕捉部材１２１と短尺捕捉部材１２２を交互に設けた固定スクリーン１０７が配置されている。回転駆動されるシャフト１０６には複数の破砕刃１０４Ａ，１０４Ｂと掻上げ刃１０５Ａ，１０５Ｂが間隔をあけて配置されている。小型のし渣は固定スクリーン１０７を通過させて流入槽へ送る。大型のし渣を破砕刃１０４Ａ，１０４Ｂにより破砕した後に固定スクリーン１０７を通過させ、流入槽５へ送る。破砕刃１０４Ａ，１０４Ｂにより破砕されなかった大型のし渣は掻上げ刃１０５Ａ，１０５Ｂにより回収箱１０３に回収して蓄積する。【選択図】図６
2010116751.tif 000002
【特許請求の範囲】
【請求項１】
ソリッドセパレーション型汚水中継ポンプ設備の流入槽と、この流入槽に汚水を導く流入管との間に配置され、
上流側に前記流入管が接続され、下流側に閉鎖壁部を備え、この閉鎖壁部に隣接する底壁部に前記流入槽に連通する汚水出口を備え、かつ上方に開口部を備える流入溝と、
前記流入溝の前記閉鎖壁部の下流側に隣接して配置され、かつ上方に開口部を備える回収箱と、
水平方向に延びて前記流入溝の前記開口部を横切る姿勢で配置され、かつそれ自体の軸線回りに両方向に回転可能なシャフトと、
基端側が前記シャフトに対して前記軸線方向に間隔をあけて固定され、かつ前記軸線と直交する方向に延びる複数の破砕刃と、
それぞれ基端側が対応する前記破砕刃と前記軸線方向の同一位置で前記シャフトに固定され、かつ対応する前記破砕刃と前記軸線周りに角度をなして前記軸線と直交する方向に延びる複数の掻上げ刃と、
前記シャフトを回転駆動する駆動装置と、
前記軸線方向に互いに間隔をあけて配置され、下端が前記流入溝の前記底壁部側に位置し、かつ互いに隣接する前記破砕刃間を前記流入溝の前記閉鎖壁部に向けて斜め上向きに延びる複数の長尺捕捉部材と、隣接する前記長尺捕捉部材間に位置するように前記軸線方向に互いに間隔をあけて配置され、下端が前記流入溝の前記底壁部側に位置し、かつ対応する前記破砕刃及び前記掻上げ刃に向かって斜め上向きに延びる複数の短尺捕捉部材とを備える固定スクリーンと、
それぞれ前記流入溝の前記閉鎖壁部に形成された前記破砕刃及び前記掻上げ刃を通過させるための複数のスリットと、
前記駆動装置を制御して、前記掻上げ刃の先端が前記固定スクリーンの前記短尺捕捉部材の上端と対向する第１の回転位置で予め定められた停止時間だけ前記シャフトを保持した後、前記掻上げ刃が前記固定スクリーンから離れて前記スリットを通過して前記回収箱に進入すると共に、前記破砕刃の先端が前記短尺捕捉部材の上端と対向する第２の回転位置まで第１の回転方向に前記シャフトを回転させ、前記第２の回転位置から前記掻上げ刃が前記スリットを通過して前記流入溝内に戻った後に前記閉鎖壁部の上方を通過して前記回収箱の上部開口に達する第３の回転位置まで前記第１の回転方向と逆向きの第２の回転方向に前記シャフトを回転させ、前記第３の角度位置から前記破砕刃及び前記掻上げ刃が前記スリットを通過して上記流入溝内に進入して前記第１の角度位置に戻るまで前記シャフトを前記第２の回転方向に回転させる制御装置と
を備えるソリッドセパレーション型汚水中継ポンプ設備のスクリーン装置。
【請求項２】
前記シャフトの前記軸線上の同一位置に前記破砕刃及び前記掻上げ刃が一対ずつ配置されている、請求項１に記載のスクリーン設備。
【請求項３】
洗浄水噴射装置を備え、
前記制御装置は前記停止時間を除いて前記洗浄水噴射装置に洗浄水を噴射させる、請求項１又は請求項２に記載のスクリーン装置。
【請求項４】
前記スリットに弾性部材を取り付けている、請求項１から請求項３のいずれか１項に記載のスクリーン装置。
【請求項５】
前記流入溝の底壁部の前記固定スクリーンよりも上流側に隆起構造を設けている、請求項１から請求項４のいずれか１項に記載のスクリーン装置。
【請求項６】
前記流入溝の開口部に前記破砕刃及び前記掻上げ刃が通過可能な上蓋スクリーンを備える、請求項１から請求項５のいずれか１項に記載のスクリーン装置。
【発明の詳細な説明】
【技術分野】
【０００１】
本発明は、下水道における汚水の送水に使用されるソリッドセパレーション型汚水中継ポンプ設備のスクリーン装置に関する。
【背景技術】
【０００２】
下水道における汚水の送水に使用されるソリッドセパレーション型の汚水中継ポンプ設備が知られている（例えば特許文献１，２参照）。ソリッドセパレーション型の汚水中継ポンプ設備は、汚水貯留槽、流入管、流入槽、し渣分離槽、セパレータ及び水中ポンプ（汚水ポンプ）を備える。汚水中に含まれるし渣をセパレータによって分離し、し渣をし渣分離槽に一時貯留させた後、逆方向からのポンプ吐出水流によりし渣を汚水と共に圧送することで、設備に流入するポンプ異物通過径以上のし渣で汚水ポンプを閉塞させることなく送水できる。
【０００３】
特許文献１，２に記載のソリッドセパレーション型汚水中継ポンプ設備の流入槽は、定期清掃を行うことを前提に上面全体を大面積の開口（上部開口）とし、側壁にスリット等の開口を設けた構成としている。流入管から流入した汚水に含まれる大型のし渣は流入槽上に残留し、比較的小型のし渣を含む汚水が流入槽からし渣分離槽に流入する。し渣分離槽の流入口や固液分離機構が一時的に閉塞した場合、流入管から流入する汚水が流入槽から溢れて汚水貯留槽に直接越流（流入）する。この越流する汚水を側壁に設けた開口を通過させることにより、前述の大型のし渣が汚水貯留槽内に越流するのを防止している。そして、流入槽に残留したし渣は定期点検等の際に除去される
【０００４】
【特許文献１】特許第４１４５８６１号明細書
【特許文献２】特許第４１４５８６２号明細書
【発明の開示】
【発明が解決しようとする課題】
【０００５】
しかし、前述の定期点検等による流入槽に残量したし渣の除去作業は、作業員が汚水中継ポンプ設備内（通常、地下に設置されていることが多い。）に入る必要があり、作業環境が悪い。
【０００６】
また、定期清掃を怠り側壁の開口が目詰まりすると、越流時に流入槽の上部開口より大型のし渣が汚水貯留槽に越流する。汚水貯留槽に越流した大型のし渣を水中ポンプが吸い込み、閉塞を起こす可能性がある。不明水や一時的な計画汚水流入量以上の流入がある場合、側壁の開口部が目詰まりを起こしていなくても、上部開口より大型のし渣が汚水貯留槽内に越流する可能性もある。
【０００７】
流入槽からのし渣の除去作業を省くために流入槽の前段（上流側）に例えばスリット状の粗目スクリーンを配置することが考えられる。しかし、この場合、粗目スクリーンの目幅（一般に４０〜５０ｍｍ程度）以下のし渣も捕捉されてしまい、ソリッドセパレーション型汚水中継ポンプ設備で圧送可能な比較的小型のし渣までも粗目スクリーンに留まることになる。
【０００８】
本発明は、かかる従来のソリッドセパレーション型汚水中継ポンプ設備における問題に鑑みてなされたものであり、流入槽からのし渣の除去作業を省くことを課題とする。
【課題を解決するための手段】
【０００９】
本発明は、ソリッドセパレーション型汚水中継ポンプ設備の流入槽と、この流入槽に汚水を導く流入管との間に配置され、上流側に前記流入管が接続され、下流側に閉鎖壁部を備え、この閉鎖壁部に隣接する底壁部に前記流入槽に連通する汚水出口を備え、かつ上方に開口部を備える流入溝と、前記流入溝の前記閉鎖壁部の下流側に隣接して配置され、かつ上方に開口部を備える回収箱と、水平方向に延びて前記流入溝の前記開口部を横切る姿勢で配置され、かつそれ自体の軸線回りに両方向に回転可能なシャフトと、基端側が前記シャフトに対して前記軸線方向に間隔をあけて固定され、かつ前記軸線と直交する方向に延びる複数の破砕刃と、それぞれ基端側が対応する前記破砕刃と前記軸線方向の同一位置で前記シャフトに固定され、かつ対応する前記破砕刃と前記軸線周りに角度をなして前記軸線と直交する方向に延びる複数の掻上げ刃と、前記シャフトを回転駆動する駆動装置と、前記軸線方向に互いに間隔をあけて配置され、下端が前記流入溝の前記底壁部側に位置し、かつ互いに隣接する前記破砕刃間を前記流入溝の前記閉鎖壁部に向けて斜め上向きに延びる複数の長尺捕捉部材と、隣接する前記長尺捕捉部材間に位置するように前記軸線方向に互いに間隔をあけて配置され、下端が前記流入溝の前記底壁部側に位置し、かつ対応する前記破砕刃及び前記掻上げ刃に向かって斜め上向きに延びる複数の短尺捕捉部材とを備える固定スクリーンと、それぞれ前記流入溝の前記閉鎖壁部に形成された前記破砕刃及び前記掻上げ刃を通過させるための複数のスリットと、前記駆動装置を制御して、前記掻上げ刃の先端が前記固定スクリーンの前記短尺捕捉部材の上端と対向する第１の回転位置で予め定められた停止時間だけ前記シャフトを保持した後、前記掻上げ刃が前記固定スクリーンから離れて前記スリットを通過して前記回収箱に進入すると共に、前記破砕刃の先端が前記短尺捕捉部材の上端と対向する第２の回転位置まで第１の回転方向に前記シャフトを回転させ、前記第２の回転位置から前記掻上げ刃が前記スリットを通過して前記流入溝内に戻った後に前記閉鎖壁部の上方を通過して前記回収箱の上部開口に達する第３の回転位置まで前記第１の回転方向と逆向きの第２の回転方向に前記シャフトを回転させ、前記第３の角度位置から前記破砕刃及び前記掻上げ刃が前記スリットを通過して上記流入溝内に進入して前記第１の角度位置に戻るまで前記シャフトを前記第２の回転方向に回転させる制御装置とを備えるソリッドセパレーション型汚水中継ポンプ設備のスクリーン装置を提供する。
【００１０】
流入管から流入溝に流入した汚水は固定スクリーンを通過して汚水出口からソリッドセパレーション型汚水中継ポンプ設備の流入槽に流入する。
【００１１】
シャフトが第１の回転位置で保持される停止時間の間は、掻上げ刃の先端が固定スクリーンの短尺部材の上端と対向している。そのため、固定スクリーンの長尺捕捉部材と短尺部材及び掻上げ刃との間の軸方向の隙間を通過可能な小型のし渣（例えば４０ｍｍ程度以下）は、汚水と共に固定スクリーンを通過して流入槽に流入し、ソリッドセパレーション型汚水中継ポンプ設備によって圧送される。一方、固定スクリーンの長尺捕捉部材と短尺捕捉部材及び掻上げ刃との間の軸方向の隙間を通過できない寸法のし渣は固定スクリーンに捕捉される。停止時間後にシャフトが第１の回転位置から第２の回転位置に向けて第１の回転方向に回転すると掻上げ刃の先端が固定スクリーンから離れる。その結果、固定スクリーンの長尺捕捉部材間の軸方向の隙間を通過可能な小型のし渣（例えば９０ｍｍ程度以下）は、汚水と共に固定スクリーンを通過して流入槽に流入し、ソリッドセパレーション型汚水中継ポンプ設備によって圧送される。つまり、本発明に係るスクリーン装置では、固定スクリーンの長尺捕捉部材間の軸方向の隙間以下（例えば９０ｍｍ程度以下）の小型のし渣は固定スクリーンを通過させて流入槽へ送りソリッドセパレーション型汚水中継ポンプ設備により圧送させる。
【００１２】
固定スクリーンの長尺捕捉部材間の隙間を通過できない大型のし渣（例えば９０ｍｍ程度以上）は、シャフトが第２の回転位置に達するまでに、破砕刃によって小型のし渣（例えば４０ｍｍ程度以下）に破砕され、汚水と共に固定スクリーンを通過して流入槽に流入し、ソリッドセパレーション型汚水中継ポンプ設備によって圧送される。つまり、本発明に係るスクリーン装置では、固定スクリーンの長尺捕捉部材間の間隔を上回る大型のし渣を破砕刃により破砕した後に固定スクリーンを通過させ、流入槽へ送りソリッドセパレーション型汚水中継ポンプ設備により圧送させる。
【００１３】
第１の回転方向から第２の回転方向に逆転することにより、シャフトが第２の回転位置から第３の回転位置まで回転すると、破砕刃により破砕されなかった大型のし渣が掻上げ刃により固定スクリーンから掻き上げられ、回収箱に回収される。
【００１４】
このように、本発明に係るソリッドセパレーション型汚水中継ポンプ設備のスクリーン装置により、圧送できない大型のし渣が流入槽に流入するのを防止することができ、流入槽からのし渣の除去作業が不要となる。回収箱には大型のし渣のうち破砕刃で破砕されなかったもののみが回収されているので、回収箱内に蓄積されたし渣を除去する作業を高頻度で行う必要はない。
【００１５】
具体的には、前記シャフトの前記軸線上の同一位置に前記破砕刃及び前記掻上げ刃が一対ずつ配置されている。
【００１６】
洗浄水噴射装置を備え、前記制御装置は前記停止時間を除いて前記洗浄水噴射装置に洗浄水を噴射させることが好ましい。
【００１７】
この構成により、破砕刃、掻上げ刃、及び流入溝の閉鎖壁部へのし渣の付着を防止できる。
【００１８】
前記スリットに弾性部材を取り付けることが好ましい。
【００１９】
この構成により、回収箱から流入溝へ向けてスリットを通過する際に破砕刃や掻上げ刃に付着したし渣が除去される。
【００２０】
前記流入溝の底壁部の前記固定スクリーンよりも上流側に隆起構造を設けることが好ましい。
【００２１】
例えば石のように比較的比重が大きく（少なくとも比重が１以上）であって、通常の汚水の流れでは汚水中に浮くことなく流入溝の底壁部上を移動するような固形物は、隆起構造によって捕捉される。従って、隆起構造を設けるこのような固形物がソリッドセパレーション型汚水中継ポンプ設備の流入槽へ進入するのを防止できる。
【００２２】
前記流入溝の開口部に前記破砕刃及び前記掻上げ刃が通過可能な上蓋スクリーンを備えることが好ましい。
【００２３】
この構成により、降雨時等の過大流入時に大型のし渣が流入溝を越流してソリッドセパレーション型汚水中継ポンプ設備内に流入するのを防止できる。
【発明の効果】
【００２４】
本発明に係るソリッドセパレーション型汚水中継ポンプ設備のスクリーン装置では、固定スクリーンの長尺捕捉部材間の軸方向の隙間以下（例えば９０ｍｍ程度以下）の小型のし渣は固定スクリーンを通過させて流入槽へ送りソリッドセパレーション型汚水中継ポンプ設備により圧送させる。また、固定スクリーンの長尺捕捉部材間の軸方向の隙間を上回る大型のし渣を破砕刃により破砕した後に固定スクリーンを通過させ、流入槽へ送りソリッドセパレーション型汚水中継ポンプ設備により圧送させる。さらに、破砕刃により破砕されなかった大型のし渣は掻上げ刃により回収箱に回収して蓄積する。従って、ソリッドセパレーション型汚水中継ポンプ設備の流入槽に圧送できない大型のし渣が流入するのを防止することができ、流入槽からのし渣の除去作業が不要となる。回収箱には大型のし渣のうち破砕刃で破砕されなかったもののみが回収されているので、高頻度で回収箱内に蓄積されたし渣を除去する作業を行う必要はない。
【００２５】
洗浄水噴射装置を設けることで、破砕刃、掻上げ刃、及び流入溝の閉鎖壁部へのし渣の付着を防止できる。
【００２６】
流入溝の閉鎖壁部のスリットに弾性部材を取り付けることで、回収箱から流入溝へ向けてスリットを通過する際に破砕刃や掻上げ刃に付着したし渣を除去できる。
【００２７】
流入溝の底壁部の固定スクリーンよりも上流側に隆起構造を設けることで、例えば石のように比較的比重が大きく（少なくとも比重が１以上）であって、通常の汚水の流れでは汚水中に浮くことなく流入溝の底壁部上を移動するような固形物がソリッドセパレーション型汚水中継ポンプ設備の流入槽へ進入するのを防止できる。
【００２８】
さらに、流入溝の開口部に前記破砕刃及び前記掻上げ刃が通過可能な上蓋スクリーンを設けることで、降雨時等の過大流入時に大型のし渣が流入溝を越流してソリッドセパレーション型汚水中継ポンプ設備内に流入するのを防止できる。
【発明を実施するための最良の形態】
【００２９】
次に、添付図面を参照して本発明の実施形態を詳細に説明する。
【００３０】
図１から図８は、本発明の第１実施形態にかかるマンホール型の汚水中継ポンプ設備１を示す。
【００３１】
（全体構造）
汚水中継ポンプ設備１は、流入管２を介して上流側から流入する汚水を、送水管３を介して下流側に送水する。汚水中継ポンプ設備１は、地中に埋設された汚水貯留槽４を備え、この汚水貯留槽４内に、流入槽５、し渣分離槽６Ａ，６Ｂ，６Ｃ、汚水ポンプである水中ポンプ７Ａ，７Ｂ，７Ｃ、及び固液分離機構であるセパレータ８Ａ，８Ｂ，８Ｃが配置されている。流入管２と流入槽５の間には、スクリーン装置１０１が配置されている。地表に設けられた建屋１２内には汚水貯留槽４の上部の搬入出口４ａを介して水中ポンプ７Ａ〜７Ｃを搬入出するための吊り下げ装置１３が配置されている。コントローラ９は、投込式水位計１０やフロート式水位計１１からの入力に基づいて、水中ポンプ７Ａ〜７Ｃの運転を制御する。また、コントローラ９はスクリーン装置１０１の動作を制御する。
【００３２】
（流入槽）
流入槽５は全体として矩形の箱体状であり、平面視で長方形状の底板（底部）１５と、この底板１５から上向きに延びる４つの側壁部１６Ａ，１６Ｂ，１６Ｃ，１６Ｄを備える。流入槽５は、し渣分離槽６Ａ〜６Ｃの頂部に配置されている。本実施形態では、流入槽５の底板１５はし渣分離槽６Ａ〜６Ｃの上蓋としての機能を有する。側壁部１６Ａ〜１６Ｄの上方部分には後述する水中ポンプ７Ａ〜７Ｃの異物通過径以下の幅を有する縦長のスリット状である多数の側部開口１６ａが設けられている。側部開口１６ａはスリット状に限定されず、矩形等の孔であってもよい。また、流入槽５の上部には平面視で長方形状を呈する上部開口１７が設けられている。流入槽５の側壁部１６Ｄの内側付近には、スクリーン装置１０１の流入溝１０２のうち下流側閉鎖壁部１０２ｃを含む下流側の部分と回収箱１０３とが配置されている。
【００３３】
（し渣分離槽）
し渣分離槽６Ａ〜６Ｃは、汚水貯留槽４の底部に配置された予旋回槽２６に固定されている。予旋回槽２６を設けない構成も可能である。また、し渣分離槽６Ａ〜６Ｃは、その上端に流入槽５の内部と連通する流入口２７を備える。図７に示すよう、流入槽５の底板１５の貫通孔１５ａには板厚方向に貫通するように流入口２７を形成した円板２８が固定されている。円板２８の下面（し渣分離槽６Ａ〜６Ｃの内部側の面）の流入口２７の周縁は弁座３２として機能し、し渣分離槽６Ａ〜６Ｃに収容されたボール３１が弁座３２から離脱していれば流入口２７が開放され、ボール３１が弁座３２に着座していれば流入口２７が閉鎖される。ボール３１及び弁座３２は流入管２からし渣分離槽６Ａ〜６Ｃの内部への汚水の流入は許容するが、し渣分離槽６Ａ〜６Ｃの内部から流入管２への汚水の逆流を阻止する逆流防止機構として機能する。
【００３４】
し渣分離槽６Ａ〜６Ｃの下部には、流出口として機能する１本の流出管３４が設けられている。各し渣分離槽６Ａ〜６Ｃの流出管３４は対応する送水支管３５Ａ〜３５Ｃの一端に接続されている。送水支管３５Ａ〜３５Ｃの他端は送水管３に接続されている。また、送水支管３５Ａ〜３５Ｃには、送水管３からし渣分離槽６Ａ〜６Ｃへの汚水の逆流を防止するために、ボール弁３６と逆止弁３７が介設されている。また、し渣分離槽６Ａ〜６Ｃの下部には、汚水出入口として機能する水平方向に延びる汚水出入口管４０が設けられている。この汚水出入口管４０には、セパレータ８Ａ〜８Ｃを介して対応する水中ポンプ７Ａ〜７Ｃの吐出管４４が着脱可能に接続されている。
【００３５】
（水中ポンプ）
水中ポンプ７Ａ〜７Ｃは、図示しないインペラを配置したインボリュート室が内部に形成されたポンプ本体４１と、インペラを回転駆動するための水中モータ４２とを備える。ポンプ本体４１は、下向きに延びる吸込管（吸込口）４３を備える。吸込管４３の端部は予旋回槽２６の上方に位置し、汚水貯留槽４の内部に開放されている。また、ポンプ本体４１は、し渣分離槽６Ａ〜６Ｃに向けて水平方向に延びる吐出管（吐出口）４４を備える。図８を参照すると、吐出管４４の端部には、セパレータ８Ａ〜８Ｃがボルト止めされている。水中ポンプ７Ａ〜７Ｃは、停止時にはし渣分離槽６Ａ〜６Ｃ側から吐出管４４に流入した汚水が吸込管４３へ逆流させ、吸込管４３から汚水貯留槽４の内部に放流できるものである必要がある。本明細書では、水中ポンプ７Ａ〜７Ｃの吸込管４３から吐出管４４に至る流路の最小径を水中ポンプ８Ａ〜８Ｃの異物通過径という。
【００３６】
（セパレータ）
図８を参照すると、セパレータ８Ａ〜８Ｃは、全体として扁平な直方体状のブロック４７を備える。このブロック４７を貫通する流路４７ａが形成されている。この流路４７ａは図において左端の端部がし渣分離槽６Ａ〜６Ｃの汚水出入口管４０内の流路４０ａと連通し、図において右側の端部が水中ポンプ７Ａ〜７Ｃの吐出管４４内の流路４４ａと連通している。セパレータ８Ａ〜８Ｃの流路４７ａ内には、複数のスクリーンロッド４８が配置されている。これらスクリーンロッド４８の先端で囲まれた円形領域及び隣接するスクリーンロッド４８間の隙間は、水中ポンプ７Ａ〜７Ｃの異物通過径以下に設定している。水中ポンプ７Ａ〜７Ｃの吸込管４３とし渣分離槽６Ａ〜６Ｃの汚水出入口管４０は着脱自在に接続されており、前述の吊り下げ装置１３によって案内ロッド５８に沿って水中ポンプ７Ａ〜７Ｃを昇降させることで汚水貯留槽４から出し入れできる。
【００３７】
（スクリーン装置）
以下、図３、図６、及び図９を参照してスクリーン装置１０１を説明する。スクリーン装置１０１は、流入溝１０２、回収箱１０３、破砕刃１０４Ａ，１０４Ｂと掻上げ刃１０５Ａ，１０５Ｂが固定されたシャフト１０６、固定スクリーン１０７、洗浄水噴射装置１０８、及び上蓋スクリーン１０９を備える。
【００３８】
（流入溝）
流入溝１０２は上方に開口部１０２ａを備えた開渠状の溝であり、下流側閉鎖壁部１０２ｃ、側壁部１０２ｄ，１０２ｅ、底壁部１０２ｆを有する。流入溝１０２の上流側の端部は開口であるが、この開口は汚水貯留槽４の側壁内面で閉鎖されている（図１参照）。以下、汚水貯留槽４の側壁内面のうち、流入溝１０２の上流側端部の開口を閉鎖している部分を上流側閉鎖壁部１０２ｂと呼ぶ。図６に示すように、流入溝１０２のうち下流側閉鎖壁部１０２ｃを含む下流側の部分は流入槽５内（流入槽５の側壁部１６Ｄの内側付近）に配置されている。上流側閉鎖壁部１０２ｂには流入管２の端部が開口しており、流入管２から汚水が流入溝１０２に流入する。底壁部１０２ｆの下流側閉鎖壁部１０２ｃに隣接する位置には開口（汚水出口１１１）が設けられている。汚水出口１１１は流入槽５の底板１５の上方に位置している。流入管２からの汚水は流入溝１０２内を流れて汚水出口１１１から流入槽５に流入する。流入溝１０２には上流側閉鎖壁部１０２ｂ側（上流側）から下流側閉鎖壁部１０２ｃ側（下流側）に向けて、隆起部１１２、固定スクリーン１０７、破砕刃１０４Ａ，１０４Ｂと掻上げ刃１０５Ａ，１０５Ｂが固定されたシャフト１０６が順に配置されている。また、開口部１０２ａには上蓋スクリーン１０９が取り付けられている。
【００３９】
流入溝１０２の底壁部１０２ｆは全体として平坦であるが、隆起部１１２では底壁部１０２ｆが部分的に隆起している。また、隆起部１１２は流入溝３内の汚水の流れ方向に対して直交する方向に延びている。
【００４０】
下流側閉鎖壁部１０２ｃには、破砕刃１０４Ａ，１０４Ｂ及び掻上げ刃１０５Ａ，１０５Ｂを流入溝１０２から回収箱１０３へ向けて又はその逆の向きに通過させるための複数（本実施形態では８個）のスリット１１３が、等間隔で設けられている。具体的には、下流側閉鎖壁部１０２ｃの最上端から下端側に向けて延びる厚み方向に貫通する溝を形成し、この溝にスリット１１３が形成された細長いゴム部材１１４が取り付けられている。
【００４１】
（回収箱）
回収箱１０３は流入溝１０２の下流側閉鎖壁部１０２ｃの外側に取り付けられており、流入槽５の底板１５の上方に位置している。回収箱１０３の底壁部１０３ａと３つの側壁部１０３ｂ，１０３ｃ，１０３ｄは回収したし渣からしみ出た水分を流入槽５に落とすために網状部材から構成されている。また、回収箱１０３の上方は閉鎖せずに開口部１０３ｅとしている。回収箱１０３を流入溝１０２から着脱可能としてもよい。
【００４２】
（シャフト，破砕刃，掻上げ刃）
シャフト１０６は流入溝１０２の下流側閉鎖壁部１０２ｃの内側上端付近に配置されている。また、シャフト１０６は水平方向に延びて流入溝１０２の開口部１０２ａを横切る姿勢（流入溝１０２内の汚水の流れ方向に対して平面視で直交する姿勢）で配置されている。さらに、シャフト１０６は図示しない軸受機構によりそれ自体の軸線Ｌ周りに図６において時計方向と反時計方向の両方に回転自在に支持されている。シャフト１０６には減速機１１６を介してモータ１１７が機械的に連結されており、モータ１１７によって回転駆動される。モータ１１７によるシャフト１０６の回転・停止及び回転方向はコントローラ９によって制御される。
【００４３】
図１０、図１２、図１４を併せて参照すると、シャフト１０６には、それぞれ２枚の同一形状の破砕刃１０４Ａ，１０４Ｂと２枚の同一形状の掻上げ刃１０５Ａ，１０５Ｂからなる複数個（本実施形態では８個）のセット（可動刃セット１１８）が軸線Ｌ方向に等間隔で固定されている。
【００４４】
同一の可動刃セット１１８の破砕刃１０４Ａ，１０４Ｂは、シャフト１０６の軸線Ｌに対して互いに対称（軸線Ｌ周りに１８０度の角度間隔をあけた位置）に設けられている。破砕刃１０４Ａ，１０４Ｂは基端側がシャフト１０６に固定されており、先端側に向けて軸線Ｌに対して直交する方向に延びている。側方から見ると破砕刃１０４Ａ，１０４Ｂは湾曲している。具体的には、破砕刃１０４Ａ，１０４Ｂは図６の方向から見てシャフト１０６の回転方向のうち時計方向Ｒｃの向きに基端側から先端側に向けて緩やかに湾曲している。
【００４５】
同一の可動刃セット１１８の掻上げ刃１０５Ａ，１０５Ｂも、シャフト１０６の軸線Ｌに対して互いに対称（軸線Ｌ周りに１８０度の角度間隔をあけた位置）に設けられている。また、掻上げ刃１０５Ａ，１０５Ｂは基端側がシャフト１０６に固定されており、先端側に向けて軸線Ｌに対して直交する方向に延びている。側方から見ると掻上げ刃１０５Ａ，１０５Ｂは湾曲している。具体的には、掻上げ刃１０５Ａ，１０５Ｂは図６の方向から見るとシャフト１０６の回転方向のうち反時計方向Ｒａｃの向きに基端側から先端側に向けて湾曲している。掻上げ刃１０５Ａ，１０５Ｂの先端にはシャフト１０６の回転方向のうち反時計方向Ｒａｃの向きに突出する爪部１０５ａが設けられている。
【００４６】
同一の可動刃セット１１８を構成する破砕刃１０４Ａ，１０４Ｂと掻上げ刃１０５Ａ，１０５Ｂはシャフト１０６の軸線Ｌ対して直交する方向に拡がる同一の仮想平面上に配置されている。また、同一の可動刃セット１１８では掻上げ刃１０５Ａ，１０５Ｂは掻上げ刃１０５Ａ，１０５Ｂに対して軸線Ｌ周りにある角度（本実施形態では９０度であるが、９０度に限定されない。また、可動刃セット１１８毎にこの角度を異ならせてもよい。）をなすように延びている。
【００４７】
前述のように可動刃セット１１８（破砕刃１０４Ａ，１０４Ｂと掻上げ刃１０５Ａ，１０５Ｂ）は等間隔で設けられている。この可動刃セット１１８間の間隔Ｇ１は汚水中継ポンプ設備１で圧送可能なし渣の寸法以下（例えば９０ｍｍ程度以下）に設定されている。前述した流入溝１０２の下流側閉鎖壁部１０２ｃに設けられた複数のスリット１１３も可動刃セット１１８と同一の間隔Ｇ１で設けられている。また、個々の可動刃セット１１８と個々のスリット１１３はシャフト１０６の軸線Ｌ方向の同一位置に配置されている。これらの間隔Ｇ１の設定及び配置により、個々の可動刃セット１１８を構成する破砕刃１０４Ａ，１０４Ｂと掻上げ刃１０５Ａ，１０５Ｂが対応するスリット１１３を通過できる。
【００４８】
同一の可動刃セット１１８を構成する破砕刃１０４Ａ，１０４Ｂと掻上げ刃１０５Ａ，１０５Ｂの長さ（シャフト１０６から先端までの距離）が同一である。破砕刃１０４Ａ，１０４Ｂと掻上げ刃１０５Ａ，１０５Ｂの長さは、シャフト１０６の回転位置に応じて流入溝１０２に進入して先端が底壁部１０２ｆから十分な間隔を隔てた状態（図６では掻上げ刃１０５Ａがこの状態にある）となるように設定されている。
【００４９】
（固定スクリーン）
図１１及び図１２を併せて参照すると、固定スクリーン１０７は、それぞれ細長い板状体からなりシャフト１０６の軸線Ｌ方向に一定間隔で交互に配置された複数の長尺捕捉部材１２１と短尺捕捉部材１２２を備える（本実施形態では短尺捕捉部材１２２は可動刃セット１１８と同数の８個あり、長尺捕捉部材１２１はそれより１個少ない７個ある）。
【００５０】
長尺捕捉部材１２１は下端が流入溝１０２の底壁部１０２ｆ側に位置し、流入溝１０２の下流側閉鎖壁部１０２ｃに向けて斜め上向き（流入溝１０２内の汚水に対する抵抗が小さくなる向き）に延びており、上端はシャフト１０６付近まで延びている。個々の長尺捕捉部材１２１のシャフト１０６の軸線Ｌ方向の位置は、隣接する２個の可動刃セット１１８（破砕刃１０４Ａ，１０４Ｂと掻上げ刃１０５Ａ，１０５Ｂ）間の中間に設定されている。具体的には、隣接する２個の可動刃セット１１８のシャフト１０６の軸線Ｌ方向の距離を１／２倍した位置に個々の長尺捕捉部材１２１が配置されている。そのため、個々の長尺捕捉部材１２１は隣接する可動刃セット１１８間の隙間を通ってシャフト１０６付近まで延びている。
【００５１】
短尺捕捉部材１２２も下端が流入溝１０２の底壁部１０２ｆ側に位置し、流入溝１０２の下流側閉鎖壁部１０２ｃに向けて斜め上向きに延びている。ただし、短尺捕捉部材１２２は長尺捕捉部材１２１よりも十分に短く、上端は流入溝１０２の底壁部１０２ｆに比較的近い位置にある。また、短尺捕捉部材１２２の最上端を含む部分は流入溝１０２の下流側閉鎖壁部１０２ｃに向けて湾曲した湾曲部１２２ａが形成されている。個々の短尺捕捉部材１２２のシャフト１０６の軸線Ｌ方向の位置は、個々の可動刃セット１１８（破砕刃１０４Ａ，１０４Ｂと掻上げ刃１０５Ａ，１０５Ｂ）と同一位置に設定されている。前述のように短尺捕捉部材１２２の長さは短いので、シャフト１０６がいかなる回転位置となっても、個々の短尺捕捉部材１２２は対応する可動刃セット１１８を構成する破砕刃１０４Ａ，１０４Ｂや掻上げ刃１０５Ａ，１０５Ｂの先端と干渉しない。
【００５２】
隣接する２個の長尺捕捉部材１２１間の間隔と、隣接する２個の短尺捕捉部材１２２間の間隔は、いずれも可動刃セット１１８（破砕刃１０４Ａ，１０４Ｂと掻上げ刃１０５Ａ，１０５Ｂ）間の間隔Ｇ１（例えば９０ｍｍ程度以下である汚水中継ポンプ設備１で圧送可能なし渣の寸法以下）と同一に設定されている。互いに隣接する長尺捕捉部材１２１と短尺捕捉部材１２２との間の間隔は、間隔Ｇ１から長尺捕捉部材１２１（又は短尺捕捉部材１２２）の厚み分を差し引いた間隔Ｇ２（例えば４０ｍｍ程度）に設定されている。
【００５３】
固定スクリーン１０７は流入溝１０２に底壁部１０２ｆに着脱可能に取り付けても良いし、シャフト１０６に対して機械的に連結しておいてシャフト１０６と共に流入溝１０２に対して着脱可能としてもよい。また、固定スクリーン１０７（長尺捕捉部材１２１及び短尺捕捉部材１２２）の最下端部と、底壁部１０２ｆとの間には、汚水中継ポンプ設備１で圧送可能なし渣の寸法以下の隙間をあけることが好ましい。ただし、固定スクリーン１０７の最下端部と流入溝１０２の底壁部１０２ｆとの間に隙間を設けない構成も可能である。
【００５４】
（洗浄水噴射装置）
洗浄水噴射装置１０８は流入溝１０２の下流側閉鎖壁部１０２ｃの上方に配置されており、下向きに洗浄水を噴射する。この洗浄水噴射装置１０８による洗浄水の噴射方向、噴射流量等は、特にスリット１１３を含む下流側閉鎖壁部１０２ｃ、破砕刃１０４Ａ，１０４Ｂ、掻上げ刃１０５Ａ，１０５Ｂ等に洗浄水を浴びせるように設定されている。洗浄水噴射装置１０８による洗浄水の噴射とその停止はコントローラ９によって制御される。
【００５５】
（上蓋スクリーン）
図１３及び図１４を併せて参照すると、上蓋スクリーン１０９は流入溝１０２の開口部１０２ａを覆うように設けられている。上蓋スクリーン１０９は基端側が水平方向に延びる支持軸１３０を支点として回動可能である（矢印Ｒ'ｃ，Ｒ'ａｃ）。支持軸１３０は上流側閉鎖壁部１０２ｂの上端付近に配置されている。また、上蓋スクリーン１０９は、それぞれ細長い板状体からなりシャフト１０６の軸線Ｌ方向に一定間隔で交互に配置された長尺捕捉部材１３１と短尺捕捉部材１３２を備える（本実施形態では短尺捕捉部材１３２は可動刃セット１１８と同数の８個あり、長尺捕捉部材１３１はそれより１個少ない７個ある）。
【００５６】
個々の長尺捕捉部材１３１のシャフト１０６の軸線Ｌ方向の位置は、隣接する２個の可動刃セット１１８（破砕刃１０４Ａ，１０４Ｂと掻上げ刃１０５Ａ，１０５Ｂ）間の中間に設定され、長尺捕捉部材１３１は可動刃セット１１８間の隙間を通ってシャフト１０６付近まで延びている。個々の短尺捕捉部材１３２のシャフト１０６の軸線Ｌ方向の位置は、個々の可動刃セット１１８（破砕刃１０４Ａ，１０４Ｂと掻上げ刃１０５Ａ，１０５Ｂ）と同一位置に設定されている。短尺捕捉部材１３２の長さは、シャフト１０６がいかなる回転位置となっても、個々の短尺捕捉部材１３２は対応する可動刃セット１１８を構成する破砕刃１０４Ａ，１０４Ｂや掻上げ刃１０５Ａ，１０５Ｂの先端と干渉しないように短く設定されている。
【００５７】
（スクリーン装置の動作）
次に、図１５Ａ〜図１５Ｂを参照してスクリーン装置１０１の動作を説明する。スクリーン装置１０１の動作、具体的にはモータ１１７（図６参照）によるシャフト１０６の回転駆動と洗浄水噴射装置１０８の動作はコントローラ９により制御される。以下の説明についてシャフト１０６の回転方向について時計方向Ｒｃ（第１の回転方向）と反時計方向Ｒａｃ（第２の回転方向）は、流入溝１０２内の汚水の流れを下流側に向かって左側から見た場合（図１５Ａ〜図１５Ｂは方向からスクリーン装置１０１を見た図である）を基準とする。
【００５８】
まず、図１５Ａで示すように、掻上げ刃１０５Ａの先端が固定スクリーン１０７の短尺捕捉部材１２１の上端と対向する回転位置でシャフト１０６は停止状態で保持される（第１の回転位置）。この停止状態は予め定められた停止時間（例えば１〜２時間）の間継続する。この図１５Ａの状態では、個々の掻上げ刃１０５Ａと個々の短尺捕捉部材１２２が一直線状に並んだ対をなし、この掻上げ刃１０５Ａと短尺捕捉部材１２２の対が互いに隣接する長尺捕捉部材１２１間に位置している。つまり、掻上げ刃１０５Ａと固定スクリーン１０７により間隔Ｇ２（例えば４０ｍｍ程度）の目幅のスクリーンが構成された状態となる。そのため、図１５Ａの状態では、固定スクリーン１０７の長尺捕捉部材１２１と短尺部材１２２及び掻上げ刃１０５Ａとの間の隙間（間隔Ｇ２）を通過可能の小型のし渣（例えば４０ｍｍ程度以下）は、汚水と共に固定スクリーン１０７を通過して汚水出口１１１から流入槽５に流入し、汚水中継ポンプ設備１によって圧送される。一方、固定スクリーン１０７の長尺捕捉部材１２１と短尺捕捉部材１２２及び掻上げ刃１０５Ａとの間の隙間を通過できない寸法のし渣Ａ〜Ｅは固定スクリーン１０７に捕捉される。図１５Ａのようにシャフト１０６が停止状態の間は洗浄水噴射装置１０８による洗浄水の噴射は停止している。シャフト１０６が時計方向Ｒｃ又は反時計方向Ｒａｃに回転しているときは、洗浄水噴射装置１０８が作動して洗浄水を噴射する。
【００５９】
停止時間が経過すると、シャフト１０６は図１５Ａに示す回転位置から時計方向Ｒｃに回転する（図１５Ｂ）。このシャフト１０６の時計方向Ｒｃの回転により掻上げ刃１０５Ａは図において左側（下流側）に移動して固定スクリーン１０７から離れる。その結果、固定スクリーン１０７の互いに隣接する長尺捕捉部材１２１間の上方側（短尺捕捉部材１２２が存在しない）には、間隔Ｇ１（例えば９０ｍｍ程度）の隙間が生じる。その結果、固定スクリーン１０７の長尺捕捉部材１２１間の隙間を通過可能な小型のし渣（例えば９０ｍｍ程度以下）は、汚水と共に固定スクリーン１０７を通過して汚水出口１１１から流入槽５に流入し、汚水中継ポンプ設備１によって圧送される。図１５Ｂではし渣Ｃが長尺捕捉部材１２１間の隙間を通って固定スクリーン１０７を通過している。
【００６０】
シャフト１０６は図１５Ｂに示すように、破砕刃１０４Ａの先端が固定スクリーン１０７の短尺捕捉部材１２２の上端と対向する位置に（第２の回転位置）に達するまで時計方向Ｒｃの回転を継続する。シャフト１０６が時計方向Ｒｃの回転を続けることで、掻上げ刃１０５Ａはスリット１１３を通過して流入溝１０２から回収箱１０３に進入する。また、シャフト１０６が時計方向Ｒｃの回転を続けることで、破砕刃１０４Ａが図において右側（上流側）から固定スクリーン１０７に接近する。その結果、固定スクリーン１０７で捕捉されている大型のし渣（例えば９０ｍｍ程度以上）が、固定スクリーン１０７と破砕刃１０４Ａの間に挟み込まれることで破砕される。破砕されたし渣は隣接する長尺捕捉部材１２１間の間隔Ｇ１に対応した寸法（例えば９０ｍｍ程度以下）となり、固定スクリーン１０７を通過して汚水出口１１１から流入槽５に流入し、汚水中継ポンプ設備１によって圧送される。図１５Ｂでは例えばオイルボールである大型のし渣Ａが破砕刃１０４Ａによって破砕されて固定スクリーン１０７を通過している。し渣Ｂは破砕されずに固定スクリーン１０７上に残っている。
【００６１】
次に、シャフト１０６の回転方向が時計方向Ｒｃから反時計方向Ｒａｃに逆転する。このシャフト１０６の反時計方向Ｒａｃの回転は、シャフト１０６が図１５Ｂに示す回転位置から図１５Ｆに示すように図１５Ａの回転位置から反時計方向Ｒａｃに１８０度の回転位置（第３の回転位置）となるまで継続する（図１５Ｃ〜図１５Ｆ）。シャフト１０６の反時計方向Ｒａｃの回転の結果、まず図１５Ｃに示すように掻上げ刃１０５Ａが破砕刃１０４Ａで破砕されなかった大型のし渣Ｂをすくい上げる。図１５Ｄに示すように、シャフト１０６がさらに反時計方向Ｒａｃに回転すると、掻上げ刃１０５Ａと共に上方に移動する大型のし渣Ｂが上蓋スクリーン１０９を持ち上げて支持軸１３０を支点としてＲ’ｃ方向に回転させる。この上蓋スクリーン１０９の回転の結果、大型のし渣Ｂを載せた掻上げ刃１０５Ａが上蓋スクリーン１０９を通過する。図１５Ｅに示すように、大型のし渣Ｂを載せた掻上げ刃１０５Ａが通過すると上蓋スクリーン１０９は自重によってＲ’ａｃ方向に回転して流入溝１０２の開口部１０２ａを覆う初期位置に戻る。一方、し渣Ｂを載せた掻上げ刃１０５Ａは下流側閉鎖壁部１０２ｃの上方を通過して回収箱１０３の開口部１０３ｅに達する（図１５Ｅ，図１５Ｆ）。図１５Ｆに示すように、掻上げ刃１０５Ａが回収箱１０３の開口部１０３ｅに達すると自重によって落下したし渣Ｂが破砕刃１０４Ａの上に載る。
【００６２】
シャフト１０６が反時計方向Ｒａｃに回転している間、掻上げ刃１０５Ａと破砕刃１０４Ａのいずれもが固定スクリーン１０７から離れていれば、固定スクリーン１０７の互いに隣接する長尺捕捉部材１２１間の上方側（短尺捕捉部材１２２が存在しない）には、間隔Ｇ１（例えば９０ｍｍ程度）の隙間が生じる（図１５Ｃ，１５Ｄ）。そのため、固定スクリーン１０７の長尺捕捉部材１２１間の隙間を通過可能な小型のし渣（例えば９０ｍｍ程度以下）は、汚水と共に固定スクリーン１０７を通過して汚水出口１１１から流入槽５に流入し、汚水中継ポンプ設備１によって圧送される。図１５Ｄではし渣Ｄ，Ｅが長尺捕捉部材１２２間の隙間を通って固定スクリーン１０７を通過している。
【００６３】
図１５Ｆの回転位置でシャフト１０６は前述の停止時間の間だけ停止状態で保持される。図１５Ａと図１５Ｆを比較すれば明らかなように、図１５Ｆの回転位置では掻上げ刃１０５Ｂの先端が固定スクリーン１０７の短尺捕捉部材１２２の上端と対向しており、図１５Ａの回転位置で掻上げ刃１０５Ａの先端が固定スクリーン１０７の短尺捕捉部材１２２の上端と対向しているのと共通している。図１５Ｆの回転位置で停止時間が経過した後、シャフト１０６は図１５Ａ〜図１５Ｆを参照して説明した回転（時計方向Ｒｃの回転とそれに続く反時計方向Ｒａｃの回転）を再び繰り返し、最終的にはシャフト１０６の回転位置は図１５Ｊに示す位置（図１５Ａと同一の回転位置）となる。図１５Ｆの回転位置からのシャフト１０６の回転によるし渣の破砕及び大型のし渣の回収等の動作は、前述の図１５Ａ〜図１５Ｆを参照した説明で掻上げ刃１０５Ａが掻上げ刃１０５Ｂとなり、破砕刃１０４Ａが破砕刃１０４Ｂとなる点を除いて同様である。つまり、掻上げ刃１０５Ａと破砕刃１０４Ａに代わって、掻上げ刃１０５Ｂと破砕刃１０４Ａが機能する。
【００６４】
図１５Ｇ〜図１５Ｊは、図１５Ｆの回転位置で停止時間が経過し、さらに時計方向Ｒｃのシャフト１０６の回転（図１５Ｂ参照）が終了した後の、シャフト１０６が反時計方向Ｒａｃの回転している状態を示す。シャフト１０６が反時計方向Ｒａｃの回転の回転により、図１５Ｇに示すように破砕刃１０４Ａが下向きに延びる姿勢となるので、破砕刃１０４Ａに載っていたし渣Ｂが回収箱１０３に落下する。一方、布状のし渣Ｇは破砕刃１０４に付着した状態で残留している。シャフト１０６がさらに反時計方向Ｒａｃに回転すると、図１５Ｈに示すように、破砕刃１０４Ａがスリット１１３を通過して回収箱１０３から流入溝１０２内に進入する。破砕刃１０４Ａはスリット１１３を通過する際にゴム部材１１４と接触し、ゴム部材１１４は破砕刃１０４Ａの「拭き取り」を行う。そのため、破砕刃１０４Ａに付着していたし渣Ｇはスリット１１３を通過することなく、下流側閉鎖壁部１０２ｃに残る。下流側閉鎖部１０２ｃに付着した布状のし渣は、図１５Ｉに示すように洗浄水噴射装置１０８から噴射される洗浄水によって洗い流されることで下流側閉鎖壁部１０２ｃから離れて回収箱１０３に落下する。このように洗浄水噴射装置１０８には下流側閉鎖壁部１０２ｃを洗浄してし渣の付着を防止する機能がある。また、図１５Ｂ〜図１５Ｅ、及び図１５Ｇ〜図１５Ｉを参照すれば明らかなように、洗浄水噴射装置１０８の噴射する洗浄水は破砕刃１０４Ａ，１０４Ｂと掻上げ刃１０５Ａ，１０５Ｂに吹き付けられるので、破砕刃１０４Ａ，１０４Ｂと掻上げ刃１０５Ａ，１０５Ｂを洗浄してし渣の付着を防止する機能もある。
【００６５】
以上のように、スクリーン装置１０１は、固定スクリーン１０７の長尺捕捉部材１２１間の間隔Ｇ１以下（例えば９０ｍｍ程度以下）の小型のし渣は固定スクリーン１０７を通過させて流入槽５へ送り汚水中継ポンプ設備１により圧送させる。また、固定スクリーン１０７の長尺捕捉部材１２１間の間隔Ｇ１を上回る大型のし渣は破砕刃１０４Ａ，１０４Ｂにより破砕した後に固定スクリーン１０７を通過させ、流入槽５へ送り汚水中継ポンプ設備１により圧送させる。さらに、破砕刃１０４Ａ，１０４Ｂにより破砕されなかった大型のし渣は掻上げ刃１０５Ａ，１０５Ｂにより回収箱１０３に回収して蓄積する。従って、流入槽５に圧送できない大型のし渣が流入するのを防止することができ、流入槽５からのし渣の除去作業が不要となる。回収箱１０３には大型のし渣のうち破砕刃１０４Ａ，１０４Ｂで破砕されなかったもののみが回収されているので、高頻度で回収箱１０３内に蓄積されたし渣を除去する作業を行う必要はない。
【００６６】
次に、流入溝１０２の底壁部１０２ｆに設けた隆起部１１２の機能について説明する。流入管２から流入溝１０２に流入する汚水に例えば石のように比較的比重が大きく（少なくとも比重が１以上）であって、通常の汚水の流れでは汚水中に浮くことなく流入溝の底壁部１０２ｆ上を移動するような固形物が含まれる場合がある。この場合、図１５Ｅに示すように、このような固形物Ｆは隆起部１１２で捕捉される。隆起部１１２で捕捉された固形物Ｆはそれ以上下流側に流れることなく流入溝１０２内に残留する。従って、隆起部１１２を設けることで、このような比較的比重が大きい固形物Ｆが流入槽５に進入するのを防止できる。なお、流入管２から流入溝１０２に流入する汚水には、底壁部１０２ｆ付近に沈んだ状態で移動するが隆起部１１２で捕捉される程は比重が大きくないし渣が含まれている場合もある。このようなし渣のうち比較的小型のものは、前述のように汚水中継ポンプ設備１で圧送可能なし渣の寸法以下の隙間を固定スクリーン１０７の最下端と底壁部１０２ｆとの間にあけておけば、固定スクリーン１０７を通過して汚水中継ポンプ設備１によって圧送される。
【００６７】
流入溝１０２の開口部１０２ａは上蓋スクリーン１０９で覆われているので、降雨時等の過大流入時に大型のし渣が流入溝１０２を越流して汚水中継ポンプ設備１内に流入するのを防止できる。また、上蓋スクリーン１０９は前述のように支持軸１３０周りに回動可能であるので、掻上げ刃１０５Ａ，１０５Ｂが大型のし渣をすくい上げて回収箱１０３に回収する動作を妨げない（図１５Ｄ参照）。
【００６８】
（汚水中継ポンプ設備の動作）
次に、図１６Ａから図１６Ｄを参照して、汚水中継ポンプ設備１の動作を説明する。通常、水中ポンプ７Ａ〜７Ｃのうちいずれかが作動状態であれば、他方は停止状態であり、停止状態の水中ポンプに対応するし渣分離槽に流入管２からの汚水の流入が可能である。以下の説明では、特に言及しない限り、水中ポンプ７Ａ及び対応するし渣分離槽６Ａに着目して説明する。
【００６９】
図１６Ａに示すように、し渣を含む汚水が流入管２からスクリーン装置１０１を介して流入槽５に流入する。流入槽５に流入した汚水は、流入槽５の底板１５に開口した流入口２７からし渣分離槽６Ａに流入する。
【００７０】
図１６Ｂ及び図１６Ｃに示すように、し渣分離槽６Ａに流入した汚水は、さらに汚水出入口管４０から固液分離スクリーン８Ａを介して停止中の水中ポンプ７Ａの吐出管４４に流入し、水中ポンプ７Ａ内を逆流して吸込管４３から汚水貯留槽４内に放流される。セパレータ８Ａの流路４７ａ（図８参照）を通過する際に、スクリーンロッド４８によってし渣が分離されるので、し渣分離槽６Ａ内にはし渣が蓄積され、し渣を分離済みの汚水が汚水貯留槽４の内部に蓄積される。
【００７１】
汚水貯留槽４内が予め定められた水位に達したことを水位計１０，１１が検出すると、コントローラ９により水中ポンプ７Ａが始動される。図１６Ｄに示すように、水中ポンプ７Ａが作動すると、汚水貯留槽４内の汚水が吸込管４３から吸い込まれ、吐出管４４から吐出される。水中ポンプ７Ａによって吐出された汚水は、セパレータ８Ａを通って汚水出入口管４０からし渣分離槽６Ａ内に圧送される。し渣分離槽６Ａ内に蓄積されているし渣は、水中ポンプ７Ａから圧送される汚水と共に、流出管３４を介して送水管３に送られる。し渣分離槽６Ａと流入槽５とを接続する流入口２７はボール３１が弁座３２に着座することによって閉鎖されている。従って、し渣分離槽６Ａから流入槽５へ汚水が逆流しない。
【図面の簡単な説明】
【００７２】
【図１】本発明の実施形態に係る汚水中継ポンプ設備の縦断面図。
【図２】図１のII−II線での断面図。
【図３】図１のIII−III線での断面図。
【図４】図１のIV−IV線での断面図。
【図５】図１のV−V線での断面図。
【図６】図１の部分VIの拡大図。
【図７】図２の部分VIIの拡大断面図。
【図８】図２の部分VIIIの拡大断面図。
【図９】スクリーン装置の分解斜視図。
【図１０】流入溝に対するシャフト、破砕刃、及び掻上げ刃の配置を示す斜視図。
【図１１】流入溝に対する固定スクリーンの配置を示す斜視図。
【図１２】流入溝対するシャフト、破砕刃、掻上げ刃、及び固定スクリーンの配置を示す斜視図。
【図１３】流入溝に対する上蓋スクリーンの配置を示す斜視図。
【図１４】シャフト、破砕刃、掻上げ刃、及び上蓋スクリーンの配置を示す斜視図。
【図１５Ａ】シャフトが停止状態のときのスクリーン装置を示す模式図。
【図１５Ｂ】シャフトが時計方向に回転中のスクリーン装置を示す模式図。
【図１５Ｃ】シャフトが反時計方向に回転中のスクリーン装置を示す模式図。
【図１５Ｄ】シャフトが反時計方向に回転して上蓋スクリーンが持ち上げられているときのスクリーン装置を示す模式図。
【図１５Ｅ】シャフトが反時計方向に回転して掻き上げられた大型のし渣が下流側閉鎖壁部の上方に達しているときのスクリーン装置を示す模式図。
【図１５Ｆ】シャフトが停止状態にあり掻き上げられた大型のし渣が回収箱の上方に達しているときのスクリーン装置を示す模式図。
【図１５Ｇ】シャフトが反時計方向に回転して掻き上げられた大型のし渣が回収箱に回収されたときのスクリーン装置を示す模式図。
【図１５Ｈ】シャフトが反時計方向に回転して破砕刃がスリットを通過するときのスクリーン装置を示す模式図。
【図１５Ｉ】シャフトが反時計方向に回転中のスクリーン装置を示す模式図。
【図１５Ｊ】シャフトが反時計方向に回転して破砕刃と掻上げ刃が図１５Ａの位置に戻ったときのスクリーン装置を示す模式図。
【図１６Ａ】し渣分離槽への汚水の流入開始時の状態を示す概略断面図。
【図１６Ｂ】し渣分離槽への汚水の流入中の状態を示す概略断面図。
【図１６Ｃ】し渣分離槽が汚水で満たされた状態を示す概略断面図。
【図１６Ｄ】水中ポンプにより汚水貯留槽内の汚水をし渣分離槽を介して圧送する状態を示す概略断面図。
【符号の説明】
【００７３】
１  汚水中継ポンプ設備
２  流入管
３  送水管
４  汚水貯留槽
４ａ  搬入出口
５  流入槽
６Ａ，６Ｂ，６Ｃ  し渣分離槽
７Ａ，７Ｂ，７Ｃ  水中ポンプ
８Ａ，８Ｂ，８Ｃ  セパレータ
９  コントローラ
１０  投込式水位計
１１  フロート式水位計
１２  建屋
１３  吊り下げ装置
１５  底板
１５ａ  貫通孔
１６Ａ，１６Ｂ，１６Ｃ，１６Ｄ  側壁部
１６ａ  側部開口
１７  上部開口
２６  予旋回槽
２７  流入口
２８  円板
３１  ボール
３２  弁座
３４  流出管
３５Ａ，３５Ｂ，３５Ｃ  送水支管
３６  ボール弁
３７  逆止弁
４０  汚水出入口管
４０ａ  流路
４１  ポンプ本体
４２  水中モータ
４３  吸込管
４４  吐出管
４４ａ  流路
４７  ブロック
４７ａ  流路
４８  スクリーンロッド
５８  案内ロッド
１０１  スクリーン装置
１０２  流入溝
１０２ａ  開口部
１０２ｂ  上流側閉鎖壁部
１０２ｃ  下流側閉鎖壁部
１０２ｄ，１０２ｅ  側壁部
１０２ｆ  底壁部
１０３  回収箱
１０３ａ  底壁部
１０３ｂ，１０３ｃ，１０３ｄ  側壁部
１０３ｅ  開口部
１０４Ａ，１０４Ｂ  破砕刃
１０５Ａ，１０５Ｂ  掻上げ刃
１０５ａ  爪部
１０６  シャフト
１０７  固定スクリーン
１０８  洗浄水噴射装置
１１１  汚水出口
１１２  隆起部
１１３  スリット
１１４  ゴム部材
１１６  減速機
１１７  モータ
１１８  可動刃セット
１２１  長尺捕捉部材
１２２  短尺捕捉部材
１２２ａ  湾曲部
１３０  支持軸
１３１  長尺捕捉部材
１３２  短尺捕捉部材
Ｇ１，Ｇ２  間隔
Ｌ  軸線
【図１】
2010116751.tif 000003
【図２】
2010116751.tif 000004
【図３】
2010116751.tif 000005
【図４】
2010116751.tif 000006
【図５】
2010116751.tif 000007
【図６】
2010116751.tif 000008
【図７】
2010116751.tif 000009
【図８】
2010116751.tif 000010
【図９】
2010116751.tif 000011
【図１０】
2010116751.tif 000012
【図１１】
2010116751.tif 000013
【図１２】
2010116751.tif 000014
【図１３】
2010116751.tif 000015
【図１４】
2010116751.tif 000016
【図１５Ａ】
2010116751.tif 000017
【図１５Ｂ】
2010116751.tif 000018
【図１５Ｃ】
2010116751.tif 000019
【図１５Ｄ】
2010116751.tif 000020
【図１５Ｅ】
2010116751.tif 000021
【図１５Ｆ】
2010116751.tif 000022
【図１５Ｇ】
2010116751.tif 000023
【図１５Ｈ】
2010116751.tif 000024
【図１５Ｉ】
2010116751.tif 000025
【図１５Ｊ】
2010116751.tif 000026
【図１６Ａ】
2010116751.tif 000027
【図１６Ｂ】
2010116751.tif 000028
【図１６Ｃ】
2010116751.tif 000029
【図１６Ｄ】
2010116751.tif 000030